(57)【要約】【課題】簡単な設定で、早期にプレビュー画像データを表示させることが可能な放射線画像検出装置及び放射線画像生成システムを提供する。【解決手段】走査駆動回路６０９により所定間隔の走査線６２３に読出信号を送ることにより信号線方向に間引かれた一次画像データを生成し、生成した一次画像データを更に前記所定間隔に対応した割合で走査線方向に間引き処理を行って縮小画像データを生成し、生成した前記縮小画像データを通信部６５により制御端末７に送信し、制御端末７は、受信した縮小画像データを表示部７７に表示する。【選択図】図５
2010214057.tif 000002
【特許請求の範囲】
【請求項１】
照射された放射線量を電荷量に変換して蓄積する複数の検出素子をマトリクス状に配置した撮像パネルと、複数の走査線により該走査線に接続された前記検出素子に読出信号を送る走査駆動回路と、前記検出素子で得られた電荷量から画像データを生成する画像データ生成部と、制御端末とデータの送受信する通信部と、を備えた放射線画像検出装置と、
前記放射線画像検出装置から受信した画像データを表示する表示部と、を備えた制御端末と、を有する放射線画像生成システムであって、
前記放射線画像検出装置は、前記走査駆動回路により所定間隔の前記走査線に読出信号を送ることにより信号線方向に間引かれた一次画像データを生成し、生成した一次画像データを更に前記所定間隔に対応した割合で走査線方向に間引き処理を行って縮小画像データを生成し、生成した前記縮小画像データを前記通信部により前記制御端末に送信し、
前記制御端末は、受信した縮小画像データを前記表示部に表示することを特徴とする放射線画像生成システム。
【請求項２】
照射された放射線量を電荷量に変換して蓄積する複数の検出素子をマトリクス状に配置した撮像パネルと、走査線方向に伸びる複数の走査線により該走査線に接続された前記検出素子に読出信号を送る走査駆動回路と、前記検出素子で得られた電荷量から画像データを生成する画像データ生成部と、制御端末とデータの送受信する通信部と、を備えた放射線画像検出装置と、
前記放射線画像検出装置から受信した画像データを表示する表示部と、を備えた制御端末と、を有する放射線画像生成システムであって、
前記放射線画像検出装置は、前記走査駆動回路により所定間隔の前記走査線に読出信号を送ることにより信号線方向に間引かれた一次画像データを生成し、生成した前記一次画像データを前記通信部により前記制御端末に送信し、
前記制御端末は、受信した前記一次画像データを前記所定間隔に対応した割合で走査線方向に間引き処理を行って縮小画像データを生成し、生成した前記縮小画像データを前記表示部に表示することを特徴とする放射線画像生成システム。
【請求項３】
前記放射線画像検出装置は、前記一次画像データに対して、予め取得しておいた放射線を照射しない撮影により得られた暗画像データに基づく補正処理を行うことを特徴とする請求項１又は２に記載の放射線画像生成システム。
【請求項４】
前記制御端末は、前記縮小画像データに対して、予め取得しておいた放射線を照射しない撮影により得られた暗画像データに基づく補正処理を行うことを特徴とする請求項１又は２に記載の放射線画像生成システム。
【請求項５】
前記制御端末は、前記一次画像データと前記所定間隔の走査線以外の前記走査線に読出信号を送ることにより得られた二次画像データにより合成された本画像データを前記表示部に表示することを特徴とする請求項１から４のいずれかに記載の放射線画像生成システム。
【請求項６】
前記通信部は、無線方式による通信を行うことを特徴とする請求項１から５のいずれかに記載の放射線画像生成システム。
【請求項７】
照射された放射線量を電荷量に変換して蓄積する複数の検出素子をマトリクス状に配置した撮像パネルと、複数の走査線により該走査線に接続された前記検出素子に読出信号を送る走査駆動回路と、前記検出素子で得られた電荷量から画像データを生成する画像データ生成部と、制御端末とデータの送受信する通信部と、を備えた放射線画像検出装置であって、
前記走査駆動回路により所定間隔の前記走査線に読出信号を送ることにより信号線方向に間引かれた一次画像データを生成し、生成した一次画像データを更に前記所定間隔に対応した割合で走査線方向に間引き処理を行って縮小画像データを生成し、生成した前記縮小画像データを前記通信部により外部装置に送信することを特徴とする放射線画像検出装置。
【請求項８】
前記一次画像データと前記所定間隔の走査線以外の前記走査線に読出信号を送ることにより得られた二次画像データにより本画像データを合成し、合成した前記本画像データを前記通信部により外部装置に送信することを特徴とする請求項７に記載の放射線画像検出装置。
【請求項９】
前記通信部は、無線方式による通信を行うことを特徴とする請求項７又は８に記載の放射線画像検出装置。
【発明の詳細な説明】
【技術分野】
【０００１】
本発明は、被写体を透過した放射線を検出する放射線画像検出装置及び、これを用いた放射線画像生成システムに関する。
【背景技術】
【０００２】
医療診断の場においては、ＣＲカセッテに内蔵された蛍光体プレートを励起光で走査することにより放射線画像データを読み取る読取装置と、当該読取装置で読み取られた放射線画像データを取得する制御装置（コンソール）とを用いたＣＲ（Ｃｏｍｐｕｔｅｄ  Ｒａｄｉｏｇｒａｐｈｙ）システムが実用化されている。
【０００３】
更に、上述したＣＲカセッテに代わり、基板上に２次元的に配列された放射線検出素子を内蔵し、当該放射線検出素子に照射された放射線量に応じた電気信号を出力することが可能な、放射線画像検出装置としてのＦＰＤ（Ｆｌａｔ  Ｐａｎｅｌ  Ｄｅｔｅｃｔｏｒ）装置が提案されている。このＦＰＤを用いれば、励起光を照射して放射線画像を読み取る読取装置を必要とせず、直接的に放射線画像のデータを得ることができるので、ＣＲカセッテやアナログフィルムを用いたシステムに比べてシステム自体を小型化することが可能となり、また、撮影作業のフローも円滑となる。
【０００４】
放射線撮影時においては、被写体のポジショニングが不適切であった場合や、放射線の照射量が不適切であった場合等には再撮影が必要になる。そして再撮影が必要か否かの判断は早期に行える方が好ましい。直接的に放射線画像データを得ることができるＦＰＤにおいて、このようなメリットをより生かすために特許文献１ではプレビュー画像を高速に出力するために、放射線照射により得られた放射線画像データと放射線未照射時に得られた基準画像データの双方から縮小画像データを生成し、縮小画像データを放射線画像データに先だって、外部装置に出力する撮影装置が開示されている。
【０００５】
また、特許文献２では信号読み取りを高速で行うことを目的として、２次元に配列した複数の光電変換素子において、特定領域の光電変換素子に対して読み出しの駆動を行うことにより、不必要な信号の読み取りを行わずに読み出し時間を削減することができ、結果的に必要な部分の信号読み出しを高速で行う光電変換装置が開示されている。
【先行技術文献】
【特許文献】
【０００６】
【特許文献１】特開２００６−２６０８３号公報
【特許文献２】特開平９−３２１２６７号公報
【発明の概要】
【発明が解決しようとする課題】
【０００７】
特許文献１に開示されている撮影装置では、プレビュー用の画像を得るために全領域の信号を読み出して生成した放射線画像データから縮小画像データを生成しており、読出処理に時間がかかるという問題がある。
【０００８】
また、特許文献２に開示されている光電変換装置では、一部分の特定領域の読み出しのみを行っており、撮影前に読み出しに先だって特定領域を選択しておく必要がある。
【０００９】
本願発明は上記問題に鑑み、簡単な設定で、早期にプレビュー画像データを表示させることが可能な放射線画像検出装置及び放射線画像生成システムを提供することを目的とする。
【課題を解決するための手段】
【００１０】
上記の目的は、下記に記載する発明により達成される。
【００１１】
１．照射された放射線量を電荷量に変換して蓄積する複数の検出素子をマトリクス状に配置した撮像パネルと、複数の走査線により該走査線に接続された前記検出素子に読出信号を送る走査駆動回路と、前記検出素子で得られた電荷量から画像データを生成する画像データ生成部と、制御端末とデータの送受信する通信部と、を備えた放射線画像検出装置と、
前記放射線画像検出装置から受信した画像データを表示する表示部と、を備えた制御端末と、を有する放射線画像生成システムであって、
前記放射線画像検出装置は、前記走査駆動回路により所定間隔の前記走査線に読出信号を送ることにより信号線方向に間引かれた一次画像データを生成し、生成した一次画像データを更に前記所定間隔に対応した割合で走査線方向に間引き処理を行って縮小画像データを生成し、生成した前記縮小画像データを前記通信部により前記制御端末に送信し、
前記制御端末は、受信した縮小画像データを前記表示部に表示することを特徴とする放射線画像生成システム。
【００１２】
２．照射された放射線量を電荷量に変換して蓄積する複数の検出素子をマトリクス状に配置した撮像パネルと、走査線方向に伸びる複数の走査線により該走査線に接続された前記検出素子に読出信号を送る走査駆動回路と、前記検出素子で得られた電荷量から画像データを生成する画像データ生成部と、制御端末とデータの送受信する通信部と、を備えた放射線画像検出装置と、
前記放射線画像検出装置から受信した画像データを表示する表示部と、を備えた制御端末と、を有する放射線画像生成システムであって、
前記放射線画像検出装置は、前記走査駆動回路により所定間隔の前記走査線に読出信号を送ることにより信号線方向に間引かれた一次画像データを生成し、生成した前記一次画像データを前記通信部により前記制御端末に送信し、
前記制御端末は、受信した前記一次画像データを前記所定間隔に対応した割合で走査線方向に間引き処理を行って縮小画像データを生成し、生成した前記縮小画像データを前記表示部に表示することを特徴とする放射線画像生成システム。
【００１３】
３．前記放射線画像検出装置は、前記一次画像データに対して、予め取得しておいた放射線を照射しない撮影により得られた暗画像データに基づく補正処理を行うことを特徴とする前記１又は２に記載の放射線画像生成システム。
【００１４】
４．前記制御端末は、前記縮小画像データに対して、予め取得しておいた放射線を照射しない撮影により得られた暗画像データに基づく補正処理を行うことを特徴とする前記１又は２に記載の放射線画像生成システム。
【００１５】
５．前記制御端末は、前記一次画像データと前記所定間隔の走査線以外の前記走査線に読出信号を送ることにより得られた二次画像データにより合成された本画像データを前記表示部に表示することを特徴とする前記１から４のいずれかに記載の放射線画像生成システム。
【００１６】
６．前記通信部は、無線方式による通信を行うことを特徴とする前記１から５のいずれかに記載の放射線画像生成システム。
【００１７】
７．照射された放射線量を電荷量に変換して蓄積する複数の検出素子をマトリクス状に配置した撮像パネルと、複数の走査線により該走査線に接続された前記検出素子に読出信号を送る走査駆動回路と、前記検出素子で得られた電荷量から画像データを生成する画像データ生成部と、制御端末とデータの送受信する通信部と、を備えた放射線画像検出装置であって、
前記走査駆動回路により所定間隔の前記走査線に読出信号を送ることにより信号線方向に間引かれた一次画像データを生成し、生成した一次画像データを更に前記所定間隔に対応した割合で走査線方向に間引き処理を行って縮小画像データを生成し、生成した前記縮小画像データを前記通信部により外部装置に送信することを特徴とする放射線画像検出装置。
【００１８】
８．前記一次画像データと前記所定間隔の走査線以外の前記走査線に読出信号を送ることにより得られた二次画像データにより本画像データを合成し、合成した前記本画像データを前記通信部により外部装置に送信することを特徴とする前記７に記載の放射線画像検出装置。
【００１９】
９．前記通信部は、無線方式による通信を行うことを特徴とする前記７又は８に記載の放射線画像検出装置。
【発明の効果】
【００２０】
本願発明によれば、所定間隔の走査線に読出信号を送ることにより信号線方向に間引かれた一次画像データを生成し、生成した一次画像データを更に所定間隔に対応した割合で走査線方向に間引き処理を行って縮小画像データを生成することにより、簡単な設定で、早期にプレビュー画像を表示させることが可能な放射線画像検出装置及び放射線画像生成システムを提供することができる。
【図面の簡単な説明】
【００２１】
【図１】本実施形態における放射線画像生成システムの概略構成を示す図である。
【図２】コンソール７の要部構成を示すブロック図である。
【図３】ＦＰＤ６の斜視図である。
【図４】検出素子をマトリクス状に配列した撮像パネル６２及びその周辺の回路構成を示す模式図である。
【図５】放射線画像生成システムが行う制御フローの説明図である。
【発明を実施するための形態】
【００２２】
本発明を実施の形態に基づいて説明するが、本発明は該実施の形態に限られない。
【００２３】
本実施形態における放射線画像生成システムの構成について図１乃至図４に基づいて説明する。図１は、本実施形態における放射線画像生成システムの概略構成を示す図である。
【００２４】
放射線画像生成システムは、図１に示すように、放射線撮影に関する操作を行う撮影操作装置４と、例えば無線ＬＡＮ（Ｌｏｃａｌ  Ａｒｅａ  Ｎｅｔｗｏｒｋ）により無線通信を行うためのアクセスポイント５と、放射線画像検出装置６（以下、単にＦＰＤ６と称す）により生成された画像データに画像処理を行うコンソール７とがネットワークＮを通じて接続されて構成されている。なお、ここでは図示してないが、放射線画像生成システムは、患者診断情報や会計情報を一元管理するＨＩＳ（Ｈｏｓｐｉｔａｌ  Ｉｎｆｏｒｍａｔｉｏｎ  Ｓｙｓｔｅｍ）や放射線診療の情報を管理するＲＩＳ（Ｒａｄｉｏｌｏｇｙ  Ｉｎｆｏｒｍａｔｉｏｎ  Ｓｙｓｔｅｍ）とネットワークＮを介して接続されている。ネットワークＮは、当該システム専用の通信回線であってもよいが、システム構成の自由度が低くなってしまう等の理由のため、イーサネット（登録商標）等の既存の回線である方が好ましい。
【００２５】
１００は撮影室である。撮影室１００には放射線照射装置３、撮影操作装置４、無線通信を行うアクセスポイント５、これらを接続するＨＵＢ９を備えている。
【００２６】
放射線照射装置３は、臥位撮影台１１に横たわっている被写体である患者１２に対して放射線を照射するようになっており、臥位撮影台１１の下方には、ＦＰＤ６を装着する検出装置装着口１１ａが設けられている。放射線照射装置３は、撮影操作装置４により制御されて放射線技師が設定した放射線照射条件で放射線撮影を行うようになっている。なお放射線照射装置３と検出装置装着口１１ａに装着したＦＰＤ６との撮影タイミングの同期は、両者間でアクセスポイント５を経由した無線通信により行うようにしてもよい。
【００２７】
アクセスポイント５は、放射線照射装置３を備えた撮影室の所定領域内でＦＰＤ６とコンソール７とが無線通信する際に、これらの通信を中継する機能をもつ。なお、無線通信としては無線ＬＡＮ（例えば、ＩＥＥＥ８０２．１１ａ／ｂ／ｇ準拠の通信方式）により行う例について説明するが、これに限られず、電波（空間波）を用いるものの他に、赤外線や可視光線等（レーザー等）を用いた光無線通信（例えば、ＩｒＤＡ）、音波または超音波を用いた音響通信により無線通信するようにしてもよい。
【００２８】
なお、図１の説明においては、無線アクセスポイント５を経由した無線通信により通信を行う例について説明したが、これに限られず、検出装置装着口１１ａにネットワークＮと接続する通信コネクタを設け、ＦＰＤ６を検出装置装着口１１ａに装着することにより、ネットワークＮと有線通信するようにしてもよい。
【００２９】
［コンソール７］
図２は、「制御装置」として機能するコンソール７の要部構成を示すブロック図である。コンソール７は、図２に示すように、制御部７４、ＲＡＭ（Ｒａｎｄｏｍ  Ａｃｃｅｓｓ  Ｍｅｍｏｒｙ）７５、ＲＯＭ（Ｒｅａｄ  Ｏｎｌｙ  Ｍｅｍｏｒｙ）７６、表示部７７、入力操作部７８、通信部７９、記憶部７０等を備えて構成されており、各部はバス７１により接続されている。
【００３０】
制御部７４は、ＣＰＵ（Ｃｅｎｔｒａｌ  Ｐｒｏｃｅｓｓｉｎｇ  Ｕｎｉｔ）等から構成され、ＲＯＭ７６に格納される所定のプログラムを読み出してＲＡＭ７５の作業領域に展開し、当該プログラムに従って各種処理を実行するように構成されている。
【００３１】
表示部７７は、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等を備えて構成され、制御部７４から送られる表示信号の指示に従って、前記患者リスト、各種のメッセージや画像等、各種画面を表示するものである。
【００３２】
入力操作部７８は、各種指示を入力可能である。例えば、キーボードやマウス等から構成されており、キーボードで押下操作されたキーの押下信号やマウスによる操作信号を入力信号として制御部７４に対して出力するものである。なお、入力操作部７８は、表示部７７の表示画面を覆う透明なシートパネルに、指または専用のスタイラスペンで触れることにより入力される位置情報を入力信号として制御部７４に出力する、いわゆる、タッチパネルにより構成されていてもよい。また入力操作部７８からは放射線技師により撮影オーダ情報を入力可能である。
【００３３】
撮影オーダ情報の一例としては、撮影オーダＩＤ、患者ＩＤ、氏名、性別、年齢及び撮影情報としての診療科、撮影部位、撮影方向から構成されたものがある。
【００３４】
記憶部７０には、ＦＰＤ６の特性情報が記憶されている。ここで特性情報とは、後述のＦＰＤの検出素子（受光素子あるいは光電変換素子ともいう）や、シンチレータパネルの特性、あるいは、感度に依存する最適照射量の値などである。なお最適照射量は、撮影部位（患部）の情報に応じた複数の異なる値であってもよい。また、複数のＦＰＤ６を用いたシステムにおいてそれぞれのＦＰＤ６の特性情報が異なる場合には、それぞれのＦＰＤ６を識別ＩＤで管理して、識別ＩＤに対応させて特性情報を記憶部７０に記憶させ、当該特性情報により画像データに対して画像処理を行うようにしてもよい。
【００３５】
画像処理部７２では画像補正を行う。画像補正とは、縮小画像データあるいは本画像データ（全領域の画像データの意味）に対して、記憶部７０に記憶しておいた当該ＦＰＤ６の識別ＩＤに対応する特性情報を用いて、これら画像データのゲイン補正あるいはオフセット補正、欠陥画素の補正等の演算処理を行うことである。これらの特性は、適宜キャリブレーションを行って更新することができる。ゲイン特性としては、正確に把握可能な照射量に対する濃度値（出力値）を測定することにより照射量と濃度値との関係を得ることにより算出することができる。オフセット特性としては、未露光で撮影を行うことにより暗画像データを取得して暗電流に起因するオフセット値を適宜求めることができる。また欠陥画素の位置は、前述のオフセット特性やゲイン特性を求める際に、周囲の画素と比較して感度が非線形な画素や、感度がない欠落画素を、撮像パネル６２における位置情報とし把握しておくことができる。
【００３６】
また、放射線未照射（未露光）で撮影する暗画像データの取得タイミングとしては本画像データの撮影直後に行うことが補正精度を向上させることから好ましく、更に複数枚撮影してその平均を取るようにしてもよい。更に、暗画像データにおける各走査線６２３の走査順も、後述の本画像データにおける走査順（後述の読出処理１、読出処理２の順）と一致させた方が補正精度向上の観点からより好ましい。
【００３７】
通信部７９によりネットワークＮに接続された各装置と通信する。そして通信部７９によりネットワークＮに接続されているアクセスポイント５を介して無線ＬＡＮ等の無線通信方式によりＦＰＤ６との間で各種情報の通信を行う。
【００３８】
［ＦＰＤ６］
ＦＰＤ６は、可搬型のカセッテＦＰＤ装置である。撮像パネル６２には、照射された放射線量に応じたエネルギーを電荷量に変換して蓄積する複数の検出素子がマトリクス状に配置されている。
【００３９】
以下、図３及び図４を用いて、ＦＰＤ６の構造について説明する。なお、ここでは間接型ＦＰＤを例示しているが直接型ＦＰＤでも同様である。図３は、ＦＰＤ６の斜視図である。図３に示すように、ＦＰＤ６は、内部を保護する筐体６１を備えており、カセッテとして可搬可能に構成されている。
【００４０】
筐体６１の内部には、照射された放射線を電気信号に変換する撮像パネル６２が層を成して形成されている。この撮像パネル６２における放射線の照射面側には、入射された放射線の強度に応じて発光を行う発光層６４が設けられている。
【００４１】
発光層６４は、一般的にはシンチレータ層あるいは蛍光層とも呼ばれるものであり、例えば、蛍光体を主たる成分とし、入射した放射線に基づいて、波長が３００ｎｍから８００ｎｍの電磁波、すなわち、可視光線を中心に紫外光から赤外光にわたる電磁波（光）を出力する。
【００４２】
この発光層６４の放射線が照射される側の面と反対側の面には、発光層から出力された電磁波（光）を電気エネルギーに変換して蓄積し、蓄積された電気エネルギーに基づく画像信号の出力を行う光電変換部がマトリクス状に配列された撮像パネル６２が形成されている。なお、１つの光電変換部から出力される信号が、画像データを構成する最小単位となる１画素に相当する信号となる。
【００４３】
ここで、撮像パネル６２の回路構成について説明する。図４は、検出素子をマトリクス状に配列した撮像パネル６２及びその周辺の回路構成を示す模式図である。
【００４４】
図４に示すとおり撮像パネル６２は光を電気信号に変換する複数の検出素子６２０（受光素子あるいは光電変換素子ともいう）が２次元配置されており、１つの検出素子６２０は放射線画像の１画素に対応する。これらの画素は例えば２００〜４００ｄｐｉ（ｄｏｔｓ  ｐｅｒ  ｉｎｃｈ）の密度で、被写体の撮影領域の大きさにわたって配置されている。
【００４５】
また、検出素子６２０間には走査線方向（横方向あるいは行方向ともいう）に伸びる複数の走査線６２３と信号線方向（縦方向あるいは列方向ともいう）に伸びる複数の信号線６２４とが配設されており、同図では両者が直交するように格子状に配設されている。ここで、走査線６２３と信号線６２４とで囲まれた１つの区画を１画素とすると、撮像パネル６２の画素数は、例えば、信号線方向にｍ個、走査線方向にｎ個配置してなる場合にはｍ×ｎ個の画素数より構成されている。そして、撮像パネル６２には、ｍ×ｎ個の画素数分に対応するフォトダイオード６２１−（１，１）〜６２１−（ｍ，ｎ）とスイッチング素子であるトランジスタ６２２−（１，１）〜６２２−（ｍ，ｎ）が配置され、画素間には、走査線６２３−１〜６２３−ｍ及び信号線６２４−１〜６２４−ｎが直交するように配設されることになる。
【００４６】
例えば、１つ目の検出素子内では、フォトダイオード６２１−（１，１）にシリコン積層構造あるいは有機半導体で構成されたスイッチング素子であるトランジスタ６２２−（１，１）が接続する。トランジスタ６２２−（１，１）は、例えば、電界効果トランジスタが使用される。トランジスタ６２２−（１，１）のドレイン電極あるいはソース電極が検出素子６２０−（１，１）に接続されるとともに、ゲート電極は走査線６２３−１と接続される。ドレイン電極が検出素子６２０−（１，１）と接続する時はソース電極が信号線６２４−１と接続し、ソース電極が検出素子６２０−（１，１）に接続する時はドレイン電極が信号線６２４−１と接続する。また、他の画素における検出素子６２０、フォトダイオード６２１及びトランジスタ６２２も同様に走査線６２３や信号線６２４と接続する。
【００４７】
また、撮像パネル６２は、図３に示すように信号線６２４−１〜６２４−ｎにドレイン電極を接続した初期化トランジスタ６３２−１〜６３２−ｎを設けるものもあり、この初期化トランジスタ６３２−１〜６３２−ｎではソース電極を接地し、ゲート電極をリセット線６３１に接続する。
【００４８】
撮像パネル６２では、これらの回路を介して放射線画像をデジタルの画像信号に変換する。すなわち、図３の制御部６０が走査線６２３−１〜６２３−ｍ各々に、走査駆動回路６０９を介して読出信号ＲＳを供給して画像走査を行い、走査線毎のデジタル画像信号を取り込み、放射線画像をデジタルの画像信号に変換する。
【００４９】
撮像パネル６２の走査線６２３−１〜６２３−ｍとリセット線６３１は、図４に示すように走査駆動回路６０９と接続する。走査駆動回路６０９から走査線６２３−１〜６２３−ｍのうち、任意の走査線６２３−ｐ（ｐは１〜ｍのいずれかの値）に読出信号ＲＳが供給されると、この走査線６２３−ｐに接続したトランジスタ６２２−（ｐ，１）〜６２２−（ｐ，ｎ）がオンの状態になり、フォトダイオード６２１−（ｐ，１）〜６２１−（ｐ，ｎ）に蓄積した電荷を信号線６２４−１〜６２４−ｎ上に出力する。
【００５０】
信号線６２４−１〜６２４−ｎは、信号読出回路６０８の信号変換器６７１−１〜６７１−ｎに接続し、信号変換器６７１−１〜６７１−ｎでは信号線６２４−１〜６２４−ｎ上に出力された電荷量に応じた電圧信号ＳＶ−１〜ＳＶ−ｎを出力し、信号変換器６７１−１〜６７１−ｎで出力した電圧信号ＳＶ−１〜ＳＶ−ｎをレジスタ６７２に供給する。
【００５１】
レジスタ６７２は、信号変換器６７１より供給された電圧信号を順次選択し、選択された電圧信号は、Ａ／Ｄ変換部６７３により、１２ビット〜１４ビットの１つのデジタル画像信号に変換され、このデジタル画像信号は制御部６０に供給されて、放射線画像を画素単位でデジタル画像信号に変換する。すなわち、「画像データ生成部」として機能する制御部６４が、走査線６２３各々に、走査駆動回路６０９を介して読出信号を供給して画像走査を行い、走査線毎のデジタル画像信号を取り込み、放射線画像をデジタルの画像信号に変換して、位置情報と対応させることにより画像データを生成する。
【００５２】
［所定間隔での間引き走査］
走査駆動回路６０９では、撮像パネル６２のうちで各走査線６２３に沿って一次元方向に配置された複数の検出素子６２０を、マトリクスの行単位とし、当該行単位で電荷の読出信号を送っている。詳細は後述する。そして、本実施形態においては走査駆動回路６０９により、撮像パネル全領域に対して２回に分けた走査を行っている。１回目の走査（一次走査）では、全領域に対して所定間隔の走査線６２３に読出信号ＲＳを送り、対応する各走査線６２３に沿った複数の検出素子６２０を行単位として、行単位で電荷の読出信号ＲＳを送り、電荷の読み出しを行い、一次画像データを生成する。そして２回目の走査（二次走査）では、１回目で走査されなかった前記所定間隔以外の走査線６２３に読出信号ＲＳを送り、残りの検出素子６２０から電荷の読み出しを行って二次画像データを生成する。所定間隔ｋとして５本間隔の例であれば、一次走査では、走査線６２３−５、６２３−１０、６２３−１５、６２３−５ｘ（ｘは整数）の複数の走査線に読出信号ＲＳを送る。そして二次走査では残りの走査線６２３−１、６２３−２、６２３−３、６２３−４、等に読出信号ＲＳを送る。そして所定間隔が５本間隔であれば一次走査では信号線方向が１／５に間引かれた（間引き率８０％）一次画像データが生成され記憶部６６に記憶される。
【００５３】
また、撮像パネル６２の初期化を行う場合は、最初に、走査駆動回路６０９からリセット信号ＲＴがリセット線６３１に供給されて初期化トランジスタ６３２−１〜６３２−ｎをオンの状態にした後、走査線６２３−１〜６２３−ｍに読出信号ＲＳを供給してトランジスタ６２２−（１，１）〜６２２−（ｍ，ｎ）をオンの状態にする。そして、フォトダイオード６２１−（１，１）〜６２１−（ｍ，ｎ）に蓄えられていた電荷を初期化トランジスタ６３２−１〜６３２−ｎを介して放出することにより撮像パネル６２の初期化を行う。
【００５４】
検出素子６２０における電荷の発生原理においては、放射線または電磁波が検出素子６２０に入射しない未照射の段階では、理想的には検出素子６２０では電荷は発生しないが、実際には未照射の段階においても検出素子６２０に微量の電荷が蓄積する現象がある。いわゆる暗電流と称されるものである。暗電流の影響を抑えるために、前述のように暗画像データを取得し、暗画像データを用いてオフセット処理を行うことが好ましい。
【００５５】
図３の説明に戻る。ＦＰＤ６は、その他として無線通信部６５、記憶部６６、電源部６３、接続端子６９などを備えている。
【００５６】
無線通信部６５は、撮影室１００の内部に設置されている無線アクセスポイント５を経由することにより無線通信を行う。
【００５７】
記憶部６６は、不揮発性メモリやフラッシュメモリなどの書き換え可能なメモリ等からなり、撮像パネル６２から出力された数枚〜数十枚程度の放射線画像データを記憶することが可能である。この記憶部６６は内蔵型のメモリでもよいし、メモリカード等の着脱可能なメモリでもよい。
【００５８】
縮小画像生成部６０１では、記憶部６６に記憶されている信号線方向に間引かれた一次画像データから、更に走査線方向に間引き処理を行うことにより縮小画像データを生成する。走査線方向の間引き率はアスペクト比の観点から、信号線方向の間引き率と同一とすることが好ましい。また、走査線方向の間引き処理においては、単純間引きでもよく、グリッドモアレを抑制すために、フィルタ処理を行ってもよい。
【００５９】
なお、本実施形態ではＦＰＤ６で一次画像データから縮小画像データを生成しているが、これに限らず一次画像データを受信したコンソール７の画像処理部７２で走査線方向の間引き処理を行うことにより縮小画像データを生成する構成としてもよい。但し、無線通信方式により無線通信する構成においては送信するデータ量が大きくなると送信時間への影響が大きくなるので、本実施形態のようにＦＰＤ６に設けられた縮小画像生成部６０１でデータ量を縮小した縮小画像データをコンソールに送信する構成とした方が好ましい。
【００６０】
電源部６３は、ＦＰＤ６を構成する複数の駆動部（制御部６０、撮像パネル６２、記憶部６６など）に電力を供給する。この電源部６３は、例えば予備電池と充電自在な充電池とで構成されている。
【００６１】
接続端子６９は、不図示のクレードル端子と接続するための端子であり、クレードル端子と接続することにより電源部６３への充電を行ったり、無線が使えない環境下でコンソール７と各種情報の送受信を行ったりする。
【００６２】
［制御フロー］
図５は、放射線画像生成システムが行う制御フローの説明図である。ステップＳ１１では、撮影オーダ情報に基づいて、放射線技師により設定された放射線照射条件で放射線照射装置３から患者１２とＦＰＤ６に向けて放射線の照射が開始される。
【００６３】
ステップＳ１２では、一次走査により１回目の読出処理（読出処理１）を行う。一次走査は前述のように、所定間隔ｋの複数の走査線６２３−ｋｘ（ｘは整数）、に読出信号を送り対応する検出素子６２０から得られた信号により信号線方向に間引かれた一次画像データを生成して、記憶部６６に記憶する。
【００６４】
ステップＳ１３では、縮小画像生成部６０１により走査線方向の間引き処理を行ってステップＳ１２で生成された一次画像データから縮小画像データを生成する。走査線方向の間引き処理における間引き率は、信号線方向の間引き率に対応した割合、例えば同等の間引き率で行う。
【００６５】
ステップＳ１４では、ステップＳ１３で得られた縮小画像データを無線通信部６５により送信する。
【００６６】
コンソール７の通信部７９はアクセスポイント５を経由してＦＰＤ６から縮小画像データを受信する。ステップＳ１５では、受信した縮小画像データに対して、画像処理部７２により予め準備しておいた暗画像データによりオフセット補正処理を行う。
【００６７】
暗画像データの取得タイミングとしては、例えば、毎日の起動処理に応じたタイミングで当該ＦＰＤ６から暗画像データを取得してコンソール７へ送信して記憶部７０に記憶するようにしてもよい。そしてコンソール７では対応する領域、つまり間引き処理において信号を取得した画素に対応する暗画像データの信号によりオフセット処理を行う。このように予め準備しておいた暗画像データを用いることにより撮影時において当該暗画像データの伝送時間の影響を受けずに縮小画像データのオフセット補正処理を行うことができる。Ｓ／Ｎ比をより向上させるためには、本撮影の前後に取得した暗画像データにより行うことがより好ましいが、縮小画像データの主な目的は、画像診断ではなく、被写体のポジショニングや、放射線の照射量が不適切であるか否かの再撮影の判断材料に用いることから、このような予め準備しておいた暗画像データの信号によりオフセット補正処理を行っても問題ない。この点で後述の本画像データのオフセット処理とは異なる。更にオフセット処理だけではなく、当該ＦＰＤ６のゲインデータ（感度データ）や欠陥画素の位置情報に基づいてゲイン補正処理や欠陥補正処理を行うようにしてもよい。
【００６８】
ステップＳ１６では、ステップＳ１５で補正処理した縮小画像データに基づく画像をプレビュー画像として表示部７７に表示する。以上までが縮小画像データを表示する制御フローである。このように、所定間隔の走査線６２３に読出信号ＲＳを送り、対応する検出素子６２０から生成した一次画像データにより縮小画像データを得ることにより、全領域を走査して本画像データを得る場合に比べて、短時間で縮小画像データを得ることができる。また縮小画像データに基づいて画像をプレビュー画像として表示部に表示させることにより再撮影が必要か否かの判断を早期に行うことができる。
【００６９】
次に、本画像データについて説明する。ステップＳ２１では、ステップＳ１２の一次走査で走査していない、残りの走査線６２３に読出信号ＲＳを送り（読出処理２）、残りの検出素子６２０からの信号により二次画像データを生成する。
【００７０】
ステップＳ２２では、制御部６０はステップＳ１２で得られ記憶部６６に記憶されている一次画像データと、ステップＳ２２で得られた二次画像データから本画像データを合成する。
【００７１】
続いてステップＳ２３では、未照射状態の撮影パネル６２の全領域を走査して暗画像データを生成する。
【００７２】
ステップＳ２４では、ステップＳ２２、Ｓ２４でそれぞれ得られた本画像データと暗画像データを無線通信部６５によりコンソール７へ送信する。
【００７３】
ステップＳ２５では、コンソール７の画像処理部７２はステップＳ２４で送信された暗画像データで本画像データに対して補正処理を行う。
【００７４】
ステップＳ２６では、ステップＳ２５で補正処理した本画像データを表示部７７に表示させて終了する。
【００７５】
なお、図５に示す制御フローにおいてはＦＰＤ６で、暗画像データと本画像データによりオフセット補正処理を行い、得られた補正後の本画像データをコンソール７に送信するようにしてもよい。更に、ステップＳ２２で行った本画像データの合成を、コンソール７で行うようにしてもよい。この場合は、一次画像データと二次画像データをそれぞれコンソール７へ送信し、コンソール７で二つの画像データを合成する。
【００７６】
このように本実施形態によれば、所定間隔の走査線に読出信号を送ることにより信号線方向に間引かれた一次画像データを生成し、生成した一次画像データを更に所定間隔に対応した割合で走査線方向に間引き処理を行って縮小画像データを生成することにより、簡単な設定で、早期にプレビュー画像を表示させることが可能となる。
【符号の説明】
【００７７】
３  放射線照射装置
４  撮影操作装置
５  アクセスポイント
１００  撮影室
１１  臥位撮影台
６  放射線画像検出装置
６０  制御部
６１  筐体
６２  パネル
６３  電源部
６４  発光層
６５  無線通信部
６６  記憶部
６９  接続端子
６０１  縮小画像生成部
６０８  信号読出回路
６０９  走査駆動回路
６２０  検出素子
６２１  フォトダイオード
６２２  トランジスタ
６２３  走査線
６２４  信号線
７  コンソール
７０  記憶部
７１  バス
７２  画像処理部
７２  表示部
７４  制御部
７７  表示部
７８  入力操作部
７９  通信部
【図１】
2010214057.tif 000003
【図２】
2010214057.tif 000004
【図３】
2010214057.tif 000005
【図４】
2010214057.tif 000006
【図５】
2010214057.tif 000007